【手続補正書】
【提出日】平成18年8月15日(2006.8.15)
【手続補正１】
【補正対象書類名】特許請求の範囲
【補正対象項目名】全文
【補正方法】変更
【補正の内容】
【特許請求の範囲】
【請求項１】
トルマリン鉱石粉末、その他マイナスイオン放出鉱石粉末等を混合したマイナスイオン放出塗料を、絹又は綿布素材マスク全面に、点線模様塗布してなる、トルマリンマイナスイオン放出マスクパットを、使用時、水、湯、等で湿らせて、それを目の下顔面に宛がう方法で、トルマリン鉱石より、自然生成されるアルカリ性マイナスイオン水の、皮膚浸透作用で、顔面皮膚を潤わせ、更に血液中の活性酸素、乳酸等をアルカリ性マイナスイオン水で中和させ、血液を中性血液に代える方法で、タンパク質コラーゲン合成、新陳代謝を促進させて、顔面筋肉を活性化さし、長時間皮膚をみずみずしく若返らせる、美容と健康、老化防止等に寄与することを特徴とした、トルマリンマイナスイオン放出マスクパット。
【手続補正２】
【補正対象書類名】明細書
【補正対象項目名】全文
【補正方法】変更
【補正の内容】
【発明の詳細な説明】
【発明の名称】トルマリンマイナスイオン放出マスクパット
【技術分野】
【０００１】  水、湯等で湿らせた絹又は綿布加工、トルマリンマスクパットから、マイナスイオン水を自然生成させて、顔面血液の活性酸素、乳酸等を中和して血液を中性に代え、タンパク質コラーゲン合成、新陳代謝を促進させると同時に、マイナスイオン水の顔面皮膚浸透作用で長時間、顔面をみずみずしく潤わせる方法で、小じわを延ばし、美容と健康、老化防止等に寄与する、トルマリンマイナスイオン放出マスクパットを、新に提供行うものである。
【背景技術】
【０００２】  美顔パック法については、すでに色々な美容技術が開発されているが、最近、マイナスイオン化粧品、及びマイナスイオン化粧水等を使用した、新しい美顔パック法が盛んに行われている。しかし現在市販されている、化粧品メーカーのマイナスイオン化粧品、マイナスイオン化粧水等の成分を詳しく分析調査行った結果、実質マイナスイオン発生量はイオン測定機に反応しないほど微々たるものであった。学説でマイナスイオンが、人体に還元する、マイナスイオン発生値を考慮すると、現在市販されている全ての、マイナスイオン化粧品、マイナスイオン化粧水等については、そのマイナスイオン美容還元効果に大きく、疑問を感じるのが実態となっている。
【発明の開示】
【発明が解決しようとする課題】
【０００３】  美容目的にマイナスイオン還元効果を応用する場合、先ず美容還元効果に必要な値の強力アルカリ性マイナスイオンを、顔面に発生させる技術が必要である、現在、市販されているマイナスイオン化粧品、化粧水等からは、調査の結果、美容に十分なマイナスイオン還元効果は望めない、本発明に於いては、美容に重要な、タンパク質コラーゲン合成を著しく妨げている、血液中の活性酸素、乳酸等をアルカリ性マイナスイオンの中和作用で中和して、血液をサラサラの中性血液に代えて、血行を良くしコラーゲン新陳代謝を促進させる、全く新しい、トルマリンマイナスイオン生成水を応用した、美顔用マスクパットの新規、開発行うことを本発明の課題としたものである。
【課題を解決するための手段】
【０００４】  アルカリ性マイナスイオン還元効果が、美容と健康、老化防止等に大きく寄与する、ことは、最近では公知の事実となっている、課題はどのような手段で美容効果に必要な、アルカリ性マイナスイオンを顔面に発生させるかと言うことである。本発明が課題を解決する手段として、新に考案したことは、天然トルマリン鉱石パウダーを混合したマイナスイオン発生塗料を、マスクに塗布する方法で、強力マイナスイオンを発生させ、更にそのマスクを水に湿らせて、自然生成されるアルカリ性マイナスイオン水の、顔面皮膚浸透作用によって、血液中の活性酸素、乳酸等を中和し、コラーゲン合成、新陳代謝を促進させる方法で、肌を長時間みずみずしく潤わせ、美容と健康、老化防止等に寄与する、マイナスイオン美顔用マスクパットの新規開発を行うことである。【０００５】  美容効果に、重要な働きをするのは、タンパク質コラーゲン合成、新陳代謝である。このコラーゲン合成新陳代謝を大きく妨げているのが、体内活性酸素と乳酸である。トルマリンマイナスイオンはアルカリ性であって、血液を酸性化させている、活性酸素、乳酸等と体内中和して、酸性血液を中性血液に変えることが出来る訳である。更に、血液がサラサラの中性に変れば、血行も良くなり、一層とコラーゲン新陳代謝を活発化させて、美容と健康効果に大きく寄与することができるものである。【０００６】  マスクパット素材に絹、綿布を選定した理由は、摩擦静電気発生防止の為である。ナイロン、ビニール、その他化学繊維をマスクに使用した場合、繊維摩擦から大量の静電気（プラスイオン）が発生して、マイナスイオン発生効果を著しく妨げるものである顔面血液中の活性酸素（プラスイオン）をアルカリ性マイナスイオンで中和して、顔面皮膚を中性にする、美容目的使用のマスクパットである為、摩擦静電気が発生しない、絹と綿布をマスク素材に採用した訳である。【０００７】  トルマリンマイナスイオン発生塗料をマスク面に点線状又は格子状に塗布した理由は、塗布した塗料がマスクパット全体を硬化させない為である、水に湿らせたマスクパットが、ソフトに顔面フイット出来るよう考慮したものである。使用時、水に湿らせたトルマリンマイナスイオン放出マスクパットから、自然生成される、アルカリ性マイナスイオン水は、飲料用ミネラル水、マイナスイオン化粧水等と、ほぼ同等の、クラスター４９ヘルツの水質であって、水道水よりも遥かに浸透性が高く、皮膚深く浸透して、長時間、顔面を潤わせる優れた美容効果が発揮されるものである。
【発明の効果】
【０００８】  マイナスイオンの人体還元効果については、医療文献等で色々と紹介されている。玉川大学、寺沢教授、北海大学、木村医学博士等の研究によると、マイナスイオン治療を受けた高血圧患者の約９２％に血圧降下症状の確認されたことが報告されている。その他、医療機関に於いても、マイナスイオンが病人の健康回復に良いことが確認されて、すでに多くの病院又は医療施設等にマイナスイオン空気清浄機が採用されているものである。本発明、トルマリンマイナスイオン放出マスクパットからは、乾燥状態で、約１０８０個／ｃｃのマイナスイオンが放出し、更に水で湿らせた美顔使用マスクパットからは、約２１２０個／ｃｃの強力マイナスイオンが発生する為、美顔パックを行う場合、市販マイナスイオン化粧品、マイナスイオン化粧水等とのマイナスイオン使用量を比較すると、約１０倍増、新しく開発した、トルマリンマイナスイオン放出美顔用マスクパットから、放出するものである。
【発明を実施するための最良の形態】
【０００９】  本来美顔パックの目的は、主に顔面の汚物、しわ等を取り除くために行うものであり昔、クレオパトラの時代から美顔パック法は行われていたようである。化粧品だけの使用では、肌に十分な水分補給が出来ないため、現在でも美顔パック法は美容に欠かせないものとなっている。しかし科学が進歩した現代では、パック技術も進化して、最近、マイナスイオン化粧品、マイナスイオン化粧水等を使った美顔パック法が盛んに行われるようになってきた。マイナスイオン水はクラスター４９ヘルツ、と水の分子が水道水よりも遥かに小さい為、皮膚よりの浸透性が高く、肌を潤わせる美顔パック使用には、最も適しているものである。この新しい、トルマリンマイナスイオン放出マスクパットを使用して、美顔パックを行った場合、先ず使用が簡単で、水オンリーの使用であるため、肌にトラブル発生の心配がないと言う利点がある。更に高価な化粧品を使用しないため、経費がかからず、ホームエステイの場合でも、手軽に独自で理想的な美顔パックが出来る訳である。【００１０】  トルマリンマイナスイオン放出マスクパットを使用して、独自で美顔パックを行う場合最初にマスクパットを水で湿らせて、顔面、目の下全体に宛てがい、更にマスクと顔面が、密着フイットできるように、最初両手でマスクを押さえつけることが必要である。パック実施時間はマスクの水分が蒸発して、乾燥するまでの間、約１時間使用するものであるが、高齢者の場合は、肌が潤うまで、一日３回は使用することが必要である効果は、アルカリ性、マイナスイオン水が、顔面血液中の活性酸素、乳酸等と中和して、酸性肌を中性肌に代えることから、タンパク質コラーゲン合成、新陳代謝が促進されるものである、更にトルマリンマイナスイオン放出マスクパットから、自然生成される、アルカリ性マイナスイオン水は、分子が極小で、顔面肌に深く浸透する為、長時間、肌を潤わし、小じわを延ばす効果が発揮され、一層と美しい肌になる訳である。
【実施例】
【００１１】  試作品、トルマリンマイナスイオン放出マスクパットを、知人女性モデル５人に依頼して、各々美顔パックを実施して貰った結果、マスクの肌ざわり、その他、美顔パック使用操作については、全員問題なく理解頂けたものである。更に美顔パック終了後におけるマスクの洗濯、乾燥、収納についても、マスクに異常は見られず、長期間、問題なく安全に使用出来ることが確認できたものである、しかし美顔と健康、老化防止等の効果については、使用期間が短い為か、実質効果が確認されたと言う報告はなかった。しかし唯一人高齢女性から、美顔マスクパックを続けて実施していたら、肩こりが自然に解消されたと言う、健康回復の報告を受けたものである。【００１２】  試作品、トルマリンマイナスイオン放出マスクパットを一週間使用して、自分自身、使用後の顔を鏡で見ると、肌の血色が良くなって、みずみずしく潤っているのを目で確認することができた。アルカリ性マイナスイオン水が、顔面の皮膚深く浸透した結果、肌がみずみずしく、柔らかくなったものと思われるが、その実施時、マスクのマイナスイオン発生量を、アンデス電気マイナスイオン測定器２０１Ａで、測定した結果、乾燥時のマスクで、約１０８０個／ｃｃ、マイナスイオン放出量が測定され、更に水に湿らせたマスクパットからは、２１２０個／ｃｃの強力マイナスイオン放出が測定されたものである。ちなみに市販某メーカーのマイナスイオン化粧品、及びマイナスイオン化粧水等を、適量顔面に塗って測定した結果、マイナスイオン放出量は、約１５０個／ｃｃから２５０個／ｃｃと大変微量であることが確認できたものである。
【産業上の利用可能性】
【００１３】（１）従来のマイナスイオン化粧水代用品として利用できる（２）高血圧患者の血圧予防用マスクとして利用できる（３）ホームエステイ、美顔パック品として利用できる（４）スポーツ疲労回復マスクとして利用できる
【図面の簡単な説明】
【００１４】
【図１】トルマリンマイナスイオン塗料、塗装マスク内部平面図
【図２】トルマリンマイナスイオンマスクパット外観全体平面図
【図３】トルマリンマイナスイオンマスクパット顔面装着説明図
【符号の説明】
【００１５】（１）絹、又は綿布マスク素材（２）トルマリン塗料点線塗装部（３）マスクパット全体外観面（４）マスク耳かけゴム紐、（５）耳かけゴム紐調節管（６）マスクパット、顔面装着図
【手続補正３】
【補正対象書類名】図面
【補正対象項目名】全図
【補正方法】変更
【補正の内容】
【図１】
2006239373.tif 000001
【図２】
2006239373.tif 000002
【図３】
2006239373.tif 000003